(57)【要約】      （修正有）【課題】内容物と異物の不要な接触を防止できるチューブ式容器を提供する。【解決手段】容器の円筒形排出部を開放状態にせず円形の蓋で封鎖し蓋の中央を切断分離して２個の半円の蓋で内部からの圧力だけで開放できるよう蓋と排出部突端の一部を切断分離する。排出時には僅かな握力による圧迫で内容物を排出し、適量排出後に握力を減少する事で素材の形状記憶性によって容器が元通りの形状に復元され、同時に内圧の減少によって内容物が吸入されて排出部の蓋も閉鎖する。【選択図】図２
0003231030.tif 000002
【実用新案登録請求の範囲】
【請求項１】
従来の形状記憶性素材で製品全体が製造されているチューブ式容器の排出装備部分の形状。
【考案の詳細な説明】
【技術分野】
【０００１】  チューブ式容器の内容物の排出装備の形状に関するもの。
【背景技術】
【０００２】  従来のチューブ式容器は形状記憶性質を有する素材で製造された容器に圧力（例えば人間の握力）を加える事で内容物を排出し必要量を対象に貼付した後に圧力を減少する事で形状記憶の作用で容器内部の気圧を下げ必要以上の内容物排出を抑制して元の状態に戻して使用を終了する。
【考案の概要】
【考案が解決しようとする課題】  従来のチューブ式容器の排出装備では対象物に内容物を貼付する際に排出部位を直接押し付ける為に残留内容物と異物が接触する可能性が発生する。
【課題を解決するための手段】  外部からの圧力だけで内容物と異物が接触することなく完全に分離排出できるように従来の排出装備に加工を施さなければならない。
【考案の効果】  安易で安価な加工で異物混入を避けられる。最大効果の一例は感染防止。
【考案を実施するための形態】
従来のように円筒形の排出装備の末端部を開放状態にせず円形の蓋で封鎖し蓋の中央を切断分離して２個の半円の蓋で内部からの圧力だけで開放できるよう蓋と円筒形の排出部突端の一部を切断分離する。（図面参照）以上の加工を経て排出時には僅かな握力による圧迫で内容物を排出し適量排出後に握力を減少する事で素材の形状記憶性によって容器が元通りの形状に復元され同時に内圧の減少によって内容物が吸入されて排出部の蓋も閉鎖する。
【産業上の利用可能性】歯磨き粉，軟膏・クリーム状の薬品，絵の具，調味料等を内容物とするチューブ式容器。
【図１】
0003231030.tif 000003
【図２】
0003231030.tif 000004
【手続補正書】
【提出日】令和2年2月9日(2020.2.9)
【手続補正１】
【補正対象書類名】実用新案登録請求の範囲
【補正対象項目名】全文
【補正方法】変更
【補正の内容】
【実用新案登録請求の範囲】
【請求項１】
従来の形状記憶性素材で製品全体が製造されているチューブ式容器の排出装備部分の形状。具体的には，既存の排出口はむきだしの開放状態でありチューブを握力等で圧迫することで容器の内圧を高め内容物を排出させ対象物に直接塗付ける。この際の外部との接触が汚染の可能性を高める。内容物の純粋・清潔を防護するために排出口の直径と同径の半円形の蓋を２個，円形に装備する様に排出口に蓋を形成する。この蓋は内圧によって開放され内容物を排出した後でチューブ素材の形状記憶の性質によって内圧の低下を伴い自然に蓋を塞ぎ外部との接触を逃れる。以上のような形状と構造を有するチューブ式容器の排出口が実用新案の登録の範囲である。
【手続補正２】
【補正対象書類名】明細書
【補正対象項目名】全文
【補正方法】変更
【補正の内容】
【考案の詳細な説明】
【技術分野】
【０００１】  チューブ式容器の内容物の排出装備の形状に関するもの。
【背景技術】
【０００２】  従来のチューブ式容器は形状記憶性質を有する素材で製造された容器に圧力（例えば人間の握力）を加える事で内容物を排出し必要量を対象に貼付した後に圧力を減少する事で形状記憶の作用で容器内部の気圧を下げ必要以上の内容物排出を抑制して元の状態に戻して使用を終了する。
【考案の概要】
【考案が解決しようとする課題】  従来のチューブ式容器の排出装備では対象物に内容物を貼付する際に排出部位を直接押し付ける為に残留内容物と異物が接触する可能性が発生する。
【課題を解決するための手段】  外部からの圧力だけで内容物と異物が接触することなく完全に分離排出できるように従来の排出装備に加工を施さなければならない。
【考案の効果】  安易で安価な加工で異物混入を避けられる。最大効果の一例は感染防止。
【考案を実施するための形態】
従来のように円筒形の排出装備の末端部を開放状態にせず円形の蓋で封鎖し蓋の中央を切断分離して２個の半円の蓋で内部からの圧力だけで開放できるよう蓋と円筒形の排出部突端の一部を切断分離する。（図面参照）以上の加工を経て排出時には僅かな握力による圧迫で内容物を排出し適量排出後に握力を減少する事で素材の形状記憶性によって容器が元通りの形状に復元され同時に内圧の減少によって内容物が吸入されて排出部の蓋も閉鎖する。
【産業上の利用可能性】歯磨き粉，軟膏・クリーム状の薬品，絵の具，調味料等を内容物とするチューブ式容器。
【図面の簡単な説明】
【図１】  チューブ容器の全体。１内容物保持部の素材は形状記憶の性質を有し外圧によって内容物を排出した後に外圧が無くなれば元の形状に戻りその際に内部と外部の気圧が平準化するので開放していた蓋が内圧に引っ張られて閉じる。
【図２】  先端排出装備部の横からと上からの拡大断面図と円筒形の立体図。２個の半円の蓋は一部（円周部の傍）を除いた部分（斜線部）は排出口の本体と分離しているので外からの圧迫で内圧が高まり内容物に押し広げられて開放し内容物を排出する。  排出後の状態は図１の説明を参考。
【手続補正書】
【提出日】令和2年6月19日(2020.6.19)
【手続補正１】
【補正対象書類名】実用新案登録請求の範囲
【補正対象項目名】全文
【補正方法】変更
【補正の内容】
【実用新案登録請求の範囲】
【請求項１】
従来の形状記憶性素材で製造されているチューブ式容器は内容物を塗付する際に排出口が直接対象部位に接触するため異物との感染を避けることが困難という欠点に対し以下の機能を施す、
（１）排出口の直径と同径の半円２個の円形の蓋で排出口を閉塞し、各半円の円周の一部を本体から分離することによって（図２参照）握力等の圧迫によって蓋を開放し下向きに使用することで異物に接触することなく内容物を排出せしめる
（２）内容物排出後は容器の形状記憶性によって原状回復して内圧の低下を招き閉塞に至る
以上（１）〜（２）の機能の構成からなるチューブ式容器の排出口が実用新案の登録の範囲である。
【手続補正書】
【提出日】令和2年9月17日(2020.9.17)
【手続補正１】
【補正対象書類名】実用新案登録請求の範囲
【補正対象項目名】全文
【補正方法】変更
【補正の内容】
【実用新案登録請求の範囲】
説明を簡易にするためチューブ式容器を歯磨用に限定して解説します。
現状の歯磨用チューブは形状記憶性素材で製造されていて容器を絞って内容物を排出せしめその後絞る行為を止めると形状記憶性によって容器は原状を回復し排出されていた内容物を内部に吸収する効果をもたらす。
先端の内容物排出装備部の形状は地下水を汲み上げるために地面に深く掘られた井戸の地上部分の円錐形の施設と同型である。この排出口はその直径よりかなり大きめのキャップ式の蓋で密封されていて内容物を外界から隔絶している。但し，歯磨の使用に際しては絞出された状態の内容物を普段は水道水で濯いだだけの清潔とは言い難い歯ブラシを擦り付けて錬り状歯磨き粉を削ぎ落して歯に当てている。
この程の実用新案の対象は使用の際に発生する外界の異物との感染を避けるために排出口の直径と同径の半円２個が合体した形の観音開きの蓋を設定し各半円の円周部の最側端の一部を排出口本体と一体化して素材の形状記憶性のもつ弾力が観音開きのちょうつがいを形成し握力等の僅かな刺激だけで蓋の開閉を調節して外界からの完全な遮断を可能にする，この観音開き状の蓋の形状と素材の持つ形状記憶性の組合せである。
【手続補正書】
【提出日】令和2年11月30日(2020.11.30)
【手続補正１】
【補正対象書類名】実用新案登録請求の範囲
【補正対象項目名】全文
【補正方法】変更
【補正の内容】
【実用新案登録請求の範囲】
【請求項１】
外部からの圧力等で変形した後，圧力の除去で原状回復する形状記憶性素材で製造された容器の排出口部分を円形の観音開き状開閉口で形成されたチューブ式容器の排出口。